(57)【特許請求の範囲】
【請求項１】
温水用の流路開閉弁と冷水用の流路開閉弁と、これらの下流側にあって温水又は水もしくはこれらの混合温水の流量を調整する流量調整弁と、流量調整弁からの湯水を吐出するシャワーノズル及びカランと、流量調整弁とシャワーノズルとの間の通路を開閉する開閉弁と流路調整弁とカランとの間の通路を開閉する開閉弁とを備えている水栓の制御方法であって、上記流路開閉弁により温水と冷水を切り換える際に、流量調整弁にて流量を絞るとともに、温水用もしくは冷水用の流路開閉弁の一方を閉にした後、他方を開にすることを特徴とする水栓の制御方法。
【請求項２】
シャワーノズル及びカランよりも上流側に温度センサーを設け、温度センサーの一定以上の温度の検出結果に基づいてシャワーノズルよりの吐出をカランよりの吐出に切り換えるとともに設定時間後に吐出を停止することを特徴とする請求項１記載の水栓の制御方法。
【請求項３】
流路開閉弁及び開閉弁は、電磁力にて作動されるプランジャーとプランジャーの押圧にて閉じ作動されるとともにプランジャーの後退時に水圧にて開き作動されるダイヤフラムとを備え、ダイヤフラムにはプランジャーにて開閉される通孔を形成した電磁弁にて構成され、水栓の上流側に止水栓を設け、最下部に水抜き栓を設け、全ての弁を開状態にしてダイヤフラムの通孔を経て大気開放側からの通気によって空気を供給して水抜き栓から水抜きをおこなうことを特徴とする請求項１記載の水栓の制御方法。
【発明の詳細な説明】
【０００１】
【発明の属する技術分野】
本発明は、温水及び冷水の吐出を切り換える水栓の制御方法に関し、詳しくは、切り換え時に生じる弁体のチャタリングを防止して閉弁不良をなくそうとする技術に係るものである。
【０００２】
【従来の技術】
従来、温水用の流路開閉弁と冷水用の流路開閉弁と、これらの下流側にあって温水又は水もしくはこれらの混合温水の流量を調整する流量調整弁と、流量調整弁からの湯水を吐出するシャワーノズル及びカランと、流量調整弁とシャワーノズルとの間の通路を開閉する開閉弁と流路調整弁とカランとの間の通路を開閉する開閉弁とを備えている水栓の制御方法は、湯水用と冷水用の流路開閉弁を同時に切り換えるものである。
【０００３】
【発明が解決しようとする課題】
ところが、このような制御方法であると、開から閉作動される例えば、温水用の流路開閉弁の二次側の圧力が不安定になるとともにこのような不安定な状態が長く続き、例えば、ダイヤフラムのような弁体が振動して、チャタリングが生じて閉弁不良が生じることがあるという問題があった。
【０００４】
本発明はこのような問題を解消しようとするものであり、温水及び冷水の吐出を切り換え時に生じる弁体のチャタリングを防止して閉弁不良をなくすことができる水栓の制御方法を提供することを課題とするものである。
【０００５】
【課題を解決するための手段】
請求項１においては、温水用の流路開閉弁１と冷水用の流路開閉弁２と、これらの下流側にあって温水又は水もしくはこれらの混合温水の流量を調整する流量調整弁５と、流量調整弁５からの湯水を吐出するシャワーノズル３及びカラン４と、流量調整弁５とシャワーノズル３との間の通路を開閉する開閉弁６と流路調整弁５とカラン４との間の通路を開閉する開閉弁７とを備えている水栓の制御方法であって、上記流路開閉弁１，２により温水と冷水を切り換える際に、流量調整弁４にて流量を絞るとともに、温水用もしくは冷水用の流路開閉弁１，２の一方を閉にした後、他方を開にすることを特徴とするものである。このような構成によれば、まず、流量調整弁５によって流路開閉弁１，２の二次側の流量を絞ることで二次側の圧力を高めて安定化させ、その後、一方の流路開閉弁１を閉じた後に他方の流路開閉弁２を開くことで、閉弁時の弁体のチャタリングを回避でき、閉弁不良を防止することができるものである。
【０００６】
請求項２においては、シャワーノズル３及びカラン４よりも上流側に温度センサー８を設け、温度センサー８の一定以上の温度の検出結果に基づいてシャワーノズル３よりの吐出をカラン４よりの吐出に切り換えるとともに設定時間後に吐出を停止することを特徴とするものである。このような構成によれば、前使用者が高温に設定している場合の後に、シャワーノズル３を使用する場合に、一定以上に高温となった温水温度の検出結果に基づいて開閉弁６，７が切り換えられて高温水がカラン４から吐出されるのであり、シャワーノズル３から高温水が噴射されるのを防止でき、高温水を被ることを防止できるものである。しかも、カラン４からの吐出は一定時間後に停止されて安全である。
【０００７】
請求項３においては、流路開閉弁１，２及び開閉弁６，７は、電磁力にて作動されるプランジャー１１とプランジャー１１の押圧にて閉じ作動されるとともにプランジャー１１の後退時に水圧にて開き作動されるダイヤフラム１２とを備え、ダイヤフラム１２にはプランジャー１１にて開閉される通孔１３を形成した電磁弁Ｖにて構成され、水栓の上流側に止水栓９，９を設け、止水栓９と水栓との間に水抜き栓１０を設け、全ての弁１，２，６，７を開状態にしてダイヤフラム１２の通孔１３を経て大気開放側からの通気によって空気を供給して水抜き栓１０から水抜きをおこなうことを特徴とするものである。このような構成によれば、配管及び電磁弁Ｖの近傍の水抜きをおこなうのに際しては、最も上流側に配設されている止水栓９，９を閉じて湯水及び冷水供給の水圧が及ばないようにした後、例えば、シャワーノズル３の開閉弁６又はカラン４の開閉弁７を開放して開閉弁６，７の二次側を大気側に開放するとともに、全ての弁１，２，６，７を開放動作させることで、これらの弁１，２，６，７のダイヤフラム１２の通孔１３を介して大気側からの空気の供給が可能となり、しかして、配管中はもちろん弁１，２，６，７の近傍の残量水を水抜き栓１０から排水することができ、配管に特別な凍結防止処置をしなくてもよく、寒冷地での使用が可能になるものである。
【０００８】
【発明の実施の形態】
以下、本発明の水栓の制御方法の実施の形態を水栓装置の図面に基づいて説明する。図１は水栓装置の説明図である。
【０００９】
水栓１４は浴室内に設置されるものであり、給湯器からの温水供給管１５と上水道からの冷水管１６とが連結され、例えば、タッチスイッチの操作によって、シャワーノズル３又はカラン４から温水又は冷水もしくは混合された温水を吐出することができるようにしている。タッチスイッチとしては、シャワースイッチ、カランスイッチ、停止スイッチ及び温水・冷水切り換えスイッチ等がある。
【００１０】
水栓１４の温水配管１７には温水用の流路開閉弁１が、冷水配管１８には冷水用の流路開閉弁２が設けられ、これらの下流側にあって温水又は水もしくはこれらの混合温水の流量を調整する流量調整弁５と、流量調整弁５からの湯水を吐出するシャワーノズル３及びカラン４と、流量調整弁５とシャワーノズル３との間の通路を開閉する開閉弁６と流路調整弁５とカラン４との間の通路を開閉する開閉弁７とを備えている。上記弁１，２，６，７は後述する電磁弁Ｖを使用するものである。又、流量調整弁５は一種のバイパス弁であり、閉状態でもバイパス孔におけるバイパス２０によって少流量流れるようになっている。流量調整弁５の開の場合は、バイパス孔によるバイパス２０と開弁によって大流量が流れるものである。
【００１１】
このような水栓１４の制御に際しては、シャワーノズル３もしくはカラン４より湯水を供給している状態から冷水を供給する状態に切り換えるのに際して、温水・冷水切り換えスイッチを操作すると、まず、流量調整弁を閉にして流量を絞るとともに、温水用の流路開閉弁１を閉にして二次側の圧力が安定した後、実際には、流路開閉弁１の閉じから１秒程度の時間経過の後、冷水用の流路開閉弁２を開に、又、流量制御弁５も開にするようにしている。このような制御は、タイマーにて容易におこなえるものである。このように、温水から冷水に切り換えるのに際して、まず、流量調整弁５によって流路開閉弁１，２の二次側の流量を絞ることで二次側の圧力を高めて安定化させ、その後、一方の流路開閉弁１を閉じた後に他方の流路開閉弁２を開き、流量調整弁５を開くことで、閉弁時の弁体のチャタリングを回避でき、閉弁不良を防止することができるものである。そして、水から湯側への切り換えに際しても同様の方法でおこなうものである。
【００１２】
表１は、シャワースイッチ、カランスイッチ、温水・冷水切り換えスイッチ及び停止スイッチを操作したときの上記弁１，２，５，６，７の開閉状態を示している。
【表１】
0003562344.tif 000002
図２は他の実施の形態を示していて、但し、本実施の形態の基本構成は上記実施の形態と共通であり、共通する部分には同一の符号を付して説明は省略する。
【００１３】
本実施の形態においては、シャワーノズル３及びカラン４よりも上流側でかつ流量調整弁５よりも上流側に温度センサー８を設けてあり、温度センサー８の一定以上の温度の検出結果に基づいてシャワーノズル３よりの吐出をカラン４よりの吐出に切り換えるとともに設定時間後に吐出を停止する制御方法にしている。
【００１４】
このような制御方法によれば、前使用者が高温に設定している場合の後に、後からの使用者がシャワーノズル３を使用する場合に、一定以上に高温となった温水温度の検出結果に基づいて開閉弁６，７が切り換えられて高温水がカラン４から吐出されるのであり、シャワーノズル３から高温水が噴射されるのを防止でき、高温水を被ることを防止できるものである。しかも、カラン４からの吐出は一定時間後に停止されて安全である。
【００１５】
この場合、シャワーノズル３よりの吐出をカラン４側に切り換えた後、カラン４側からの吐出を停止するまでに、カラン４から冷水供給をおこなう冷水供給モードを設ける制御方法にしてあって、水栓１４内の高温水を全て排水するようにするようにしている。
【００１６】
又、本実施の形態においては、カランスイッチである出湯ボタンを一定時間を越えて押し続ける場合には、これの検出結果に基づいて、温度検知をしないで出湯できる制御方法にしてあり、このような制御方法によれば、水栓１４に対する給湯器から水栓１４間の配管における高温水を排水することができて安全であり、
更に、給湯器の異常や利用者の設定違い等により安全装置が働いて、熱い湯が配管に残っていた場合に、安全のための温度検知装置の検知結果によって、熱い湯の排水ができなくなるということもなくなり、素速く出湯できるように回復できるのである。図２（ｂ）において、符号２１は手動サーモブロックであり、温水の供給・停止をおこない、又、冷水の供給・停止をおこない、更に、湯水の混合量を調節して温度調節をおこなうものであり、機能的に流路開閉弁１，２を内蔵するものであり、温水から冷水への切り換え及び冷水から温水への切り換え時に本発明の上記制御方法を実施するものである。本実施の形態の制御方法は、給湯器が温度調節することができるもの、或いはできないものを想定しているものである。
【００１７】
図３及び図４は更に他の実施の形態を示していて、但し、本実施の形態の基本構成は上記実施の形態と共通であり、共通する部分には同一の符号を付して説明は省略する。
【００１８】
図４は電磁弁Ｖを示し、上記実施の形態における流路開閉弁１，２及び開閉弁６，７として使用するものであり、コイル２３への通電にて励磁される電磁力にて作動されるプランジャー１１を備え、プランジャー１１の押圧にて閉じ作動されるとともにプランジャー１１の後退時に水圧にて開き作動されるダイヤフラム１２を弁孔２２に備え、ダイヤフラム１２はプランジャー１１とは別に移動自在になされ、ダイヤフラム１２にはプランジャー１１にて開閉される通孔１３が形成されているものである。
【００１９】
図３に示すように、水栓１４の上流側の配管に止水栓９，９を設けている。又、水栓１４内の残留水を抜く水抜き栓１０，１０を最も低い位置に設けている。
【００２０】
本実施の形態の制御方法においては、水栓１４の配管及び電磁弁Ｖの近傍の水抜きをおこなうのに際しては、最も上流側に配設されている止水栓９，９を閉じて湯水及び冷水供給の水圧が及ばないようにした後、最も低い位置ある水抜き栓１０，１０を開放するのである。次に、シャワーノズル３の開閉弁６及びカラン４の開閉弁７を開放して上記電磁弁Ｖにて構成している開閉弁６，７の二次側を大気側に開放してシャワーノズル３の配管内の残水をカラン４側から排水するのであり、又、電磁弁Ｖの流路開閉弁１，２を開放動作させるのである。この場合、各弁１，２のプランジャー１１は作動しているが、ダイヤフラム１２には水圧がかからないので、ダイヤフラム１２は弁孔２２から離れて開くことがないが、ダイヤフラム１２に形成されている通孔１３が開いて、大気側に開放されているシャワーノズル３及びカラン４側から空気が上流側に送られ、水栓１４内の配管の残水が水抜き栓１０から排水されるのである。
【００２１】
このように、弁１，２を開放動作する前に、カラン４及びシャワーノズル３の弁６，７を開放してシャワーノズル３の配管内の残水をカラン４から排水していて、カラン４とシャワーノズル３の両方が大気側に開放されて上記空気の供給がおこなえて、空気の供給効率を高めるものである。
【００２２】
しかして、配管中はもちろん弁１，２，６，７の近傍の残量水を水抜き栓１０から排水することができ、配管に特別な凍結防止処置をしなくてもよく、寒冷地での使用が可能になるものである。図５は更に他の実施の形態を示していて、上記手動サーモブロック２１を設けたものである。
【００２３】
【発明の効果】
請求項１においては、温水用の流路開閉弁と冷水用の流路開閉弁と、これらの下流側にあって温水又は水もしくはこれらの混合温水の流量を調整する流量調整弁と、流量調整弁からの湯水を吐出するシャワーノズル及びカランと、流量調整弁とシャワーノズルとの間の通路を開閉する開閉弁と流路調整弁とカランとの間の通路を開閉する開閉弁とを備えている水栓の制御方法であって、上記流路開閉弁により温水と冷水を切り換える際に、流量調整弁にて流量を絞るとともに、温水用もしくは冷水用の流路開閉弁の一方を閉にした後、他方を開にするから、まず、流量調整弁によって流路開閉弁の二次側の流量を絞ることで二次側の圧力を高めて安定化させ、その後、一方の流路開閉弁を閉じた後に他方の流路開閉弁を開くことで、閉弁時の弁体のチャタリングを回避でき、閉弁不良を防止することができるという利点がある。
【００２４】
請求項２においては、シャワーノズル及びカランよりも上流側に温度センサーを設け、温度センサーの一定以上の温度の検出結果に基づいてシャワーノズルよりの吐出をカランよりの吐出に切り換えるとともに設定時間後に吐出を停止するから、請求項１の効果に加えて、前使用者が高温に設定している場合の後に、シャワーノズルを使用する場合に、一定以上に高温となった温水温度の検出結果に基づいて開閉弁が切り換えられて高温水がカランから吐出されるのであり、シャワーノズルから高温水が噴射されるのを防止でき、高温水を被ることを防止できるという利点がある。しかも、カランからの吐出は一定時間後に停止されて安全である。
【００２５】
請求項３においては、流路開閉弁及び開閉弁は、電磁力にて作動されるプランジャーとプランジャーの押圧にて閉じ作動されるとともにプランジャーの後退時に水圧にて開き作動されるダイヤフラムとを備え、ダイヤフラムにはプランジャーにて開閉される通孔を形成した電磁弁にて構成され、水栓の上流側に止水栓を設け、最下部に水抜き栓を設け、全ての弁を開状態にしてダイヤフラムの通孔を経て大気開放側からの通気によって空気を供給して水抜き栓から水抜きをおこなうから、請求項１の効果に加えて、配管及び電磁弁の近傍の水抜きをおこなうのに際しては、最も上流側に配設されている止水栓を閉じて湯水及び冷水供給の水圧が及ばないようにした後、例えば、シャワーノズルの開閉弁又はカランの開閉弁を開放して開閉弁の二次側を大気側に開放するとともに、全ての弁を開放動作させることで、これらの弁のダイヤフラムの通孔を介して大気側からの空気の供給が可能となり、しかして、配管中はもちろん弁の近傍の残量水を水抜き栓から排水することができ、配管に特別な凍結防止処置をしなくてもよく、寒冷地での使用が可能になるという利点がある。
【図面の簡単な説明】
【図１】本発明の実施の形態を示す説明図である。
【図２】同上の他の実施の形態を示し、（ａ）（ｂ）は説明図である。
【図３】同上の更に他の実施の形態を示し、（ａ）（ｂ）は説明図である。
【図４】同上の電磁弁を示し、（ａ）（ｂ）は断面図である。
【図５】同上の他の実施の形態の説明図である。
【符号の説明】
１    温水用の流路開閉弁
２    冷水用の流路開閉弁
３    シャワーノズル
４    カラン
５    流量調整弁
６    シャワーノズル側の開閉弁
７    カラン側の開閉弁
８    温度センサー
９    止水栓
１０  水抜き栓
１１  プランジャー
１２  通孔
【図１】
0003562344.tif 000003
【図２】
0003562344.tif 000004
【図３】
0003562344.tif 000005
【図４】
0003562344.tif 000006
【図５】
0003562344.tif 000007